(57)【要約】【課題】従来の技術による諸問題を解決するため、再生中の音声ファイルと関連するテキストファイルを実時間に表示できる音声プレイヤーを提供する。【解決手段】音声プレイヤーは、第一音声ファイルと第一音声ファイルに対応するテキスト内容を有する第一テキストファイルとを保存するメモリーと、第一音声ファイルを選択するためのユーザーインターフェイスと、第一音声ファイルと第一テキストファイルをロードするコントローラーと、第一音声ファイルを音声信号に変換するデコーダーと、音声信号を出力する音声出力ポートと、表示装置で第一テキストファイルのテキスト内容を表示するための画像出力ポートと、第一音声ファイルの再生時間と第一テキストファイルの容量との予定関係によって、表示装置におけるテキスト内容の表示速度を計算するための文字計算回路とを含む。【選択図】図４
2005062880.tif 000002
【特許請求の範囲】
【請求項１】
第一音声ファイルと、第一音声ファイルに対応するテキスト内容を有する第一テキストファイルとを保存するメモリーと、
第一音声ファイルを選択するためのユーザーインターフェイスと、
第一音声ファイルと第一テキストファイルをロードするためのコントローラーと、
第一音声ファイルを音声信号に変換するデコーダーと、
音声信号を出力する音声出力ポートと、
画像出力ポートと電気的にカップリングされる表示装置で第一テキストファイルのテキスト内容を表示するための画像出力ポートと、
第一音声ファイルの再生時間と第一テキストファイルの容量との予定関係によって、表示装置におけるテキスト内容の表示速度を計算するための文字計算回路とを含むことを特徴とする音声プレイヤー。
【請求項２】
メモリーに保存される第一リンクファイルを更に含み、第一リンクファイルは第一テキストファイルとそれに対応する第一音声ファイルをリンクすることを特徴とする請求項１記載の音声プレイヤー。
【請求項３】
メモリーに保存される第一画像ファイルを更に含み、第一画像ファイルは第一テキストファイルのテキスト内容が表示装置に表示される際、バックグラウンドイメージとして表示されることを特徴とする請求項１記載の音声プレイヤー。
【請求項４】
前記予定関係は、表示装置におけるテキスト内容の表示速度を計算するためのものであり、表示速度はＦ＝Ｔ／Ｎの公式で計算され、そのうちＦはテキスト内容が表示装置での移動速度を表し、Ｔは第一音声ファイルの再生時間を表し、Ｎは第一テキストファイルにおけるテキスト内容の数量を表すことを特徴とする請求項１記載の音声プレイヤー。
【請求項５】
前記ユーザーインターフェイスは音声プレイヤーの計算モードとされることを特徴とする請求項４記載の音声プレイヤー。
【請求項６】
前記第一テキストファイルに保存されるテキスト内容の数量Ｎは計算モードによって、文字ＮＣ、ワードＮＷ、センテンスＮＳ、パラグラフＮＰのいずれかを単位とすることを特徴とする請求項５記載の音声プレイヤー。
【請求項７】
前記ユーザーインターフェイスは、表示装置で表示されるテキスト内容をスクロールするための１個以上の入力キーを含むことを特徴とする請求項１記載の音声プレイヤー。
【請求項８】
前記ユーザーインターフェイスは、表示装置で表示されるテキスト内容の表示速度を調整するための１個以上の入力キーを含むことを特徴とする請求項１記載の音声プレイヤー。
【請求項９】
ファイルをホスト装置から音声プレイヤーのメモリーに送信するためのインターフェイスポートを更に含むことを特徴とする請求項１記載の音声プレイヤー。
【請求項１０】
メモリーに保存される文字セットファイルを更に含み、文字セットファイルはメモリーに保存されるあらゆるテキストファイルの文字を含むことを特徴とする請求項１記載の音声プレイヤー。
【請求項１１】
前記デコーダーがＭＰ３デコーダーであることを特徴とする請求項１記載の音声プレイヤー。
【請求項１２】
音声プレイヤーでテキストを表示する方法であって、
第一音声ファイルを選択し、
第一音声ファイルに対応するテキストファイルをロードし、
第一音声ファイルの再生時間と第一テキストファイルの容量との予定関係によって、音声プレイヤーと電気的にカップリングされる表示装置で表示されるテキスト内容の表示速度を計算し、
第一音声ファイルを復号化して音声信号を生じさせ、
音声信号を出力すると同時に、一定の速度で表示装置で第一テキストファイルのテキスト内容を表示するなどのステップを含むことを特徴とする方法。
【請求項１３】
第一リンクファイルを読み取り、第一リンクファイルに保存されるリンク識別子によって第一テキストファイルと第一音声ファイルの範囲を確認するステップを更に含むことを特徴とする請求項１２記載の方法。
【請求項１４】
第一テキストファイルのテキスト内容を表示装置で表示する際、画像ファイルをバックグラウンドイメージとするステップを更に含むことを特徴とする請求項１２記載の方法。
【請求項１５】
前記予定関係は、表示装置におけるテキスト内容の表示速度を計算するためのものであり、表示速度はＦ＝Ｔ／Ｎの公式で計算され、そのうちＦはテキスト内容が表示装置での移動速度を表し、Ｔは第一音声ファイルの再生時間を表し、Ｎは第一テキストファイルにおけるテキスト内容の数量を表すことを特徴とする請求項１２記載の方法。
【請求項１６】
前記第一テキストファイルに保存されるテキスト内容の数量Ｎは計算モードによって、文字ＮＣ、ワードＮＷ、センテンスＮＳ、パラグラフＮＰのいずれかを単位とすることを特徴とする請求項１２記載の方法。
【請求項１７】
前記ユーザーインターフェイスは、表示装置で表示されるテキスト内容をスクロールするための１個以上の入力キーを含むことを特徴とする請求項１２記載の方法。
【請求項１８】
前記ユーザーインターフェイスは、表示装置で表示されるテキスト内容の表示速度を調整するための１個以上の入力キーを含むことを特徴とする請求項１２記載の方法。
【請求項１９】
ホスト装置から第一音声ファイルと第一テキストファイルを音声プレイヤーに送信するステップを更に含むことを特徴とする請求項１２記載の方法。
【請求項２０】
メモリーに保存されるあらゆるテキストファイルの文字を含む文字セットファイルを提供するステップを更に含むことを特徴とする請求項１２記載の方法。
【請求項２１】
前記文字セットファイルは、文字セットの各文字にそれぞれつけるナンバーコードを含むことを特徴とする請求項２０記載の方法。
【請求項２２】
前記表示装置で第一テキストファイルのテキスト内容を表示するステップは更に、第一テキストファイルから複数のナンバーコードを読み取り、つぎに文字セットファイルからナンバーコードが代表する文字を読み取り、更に表示装置で該文字を表示するなどのステップを含むことを特徴とする請求項２１記載の方法。
【発明の詳細な説明】
【技術分野】
【０００１】
この発明は音声プレイヤー及び表示方法に関し、特にテキスト表示機能を有する音声プレイヤー及び表示方法に関する。
【背景技術】
【０００２】
音楽のデジタル化にしたがって、デジタル音声ファイルを保存するメディアも携帯型へ移行する。現在、ＭＰ３などのファイルを再生する音声プレイヤーが普及している。
【０００３】
図１と図２を参照する。図１は従来の携帯型音声プレイヤーを表す説明図であり、図２は図１における携帯型音声プレイヤー１０のブロック図である。従来の携帯型音声プレイヤー１０はメモリー１６を含む。メモリー１６はデジタル音声ファイルを保存するフラッシュメモリーである。このデジタル音声ファイルは通常、ＭＰ３形式の小容量ファイルである。図１によれば、音声プレイヤー１０はＵＳＢなどのコネクター１４を含む。音声プレイヤー１０をコネクター１４を通してコンピューターと接続することによって、音声ファイルをコンピューターから音声プレイヤー１０に伝送し、または音声プレイヤー１０からコンピューターに伝送する。なお、従来の携帯型音声プレイヤー１０は更に、音声プレイヤー１０の動作を制御するコントローラー２０と、メモリー１６に保存されるデジタル音声ファイルをアナログ音声信号に変換するデコーダー１８とを含む。
【０００４】
携帯型音声プレイヤー１０は更に、音声プレイヤー１０の動作、例えば再生中の曲名と電池残量をユーザーに知らせる表示器１２と、音声信号を出力する音声出力ポート２４とを含む。音声出力ポート２４は通常、イヤーホーンジャックである。イヤーホーンジャックをマイクロフォンジャックで取り替えることも可能である。
【０００５】
携帯型音声プレイヤー１０の利点はそのコンパクトさにある。しかし、従来の携帯型音声プレイヤー１０は再生中の音声ファイルと関連する歌詞などのテキストファイルを表示できない。これは音声プレイヤーの重大な欠点といえよう。
【発明の開示】
【発明が解決しようとする課題】
【０００６】
この発明は前述の問題を解決するため、再生中の音声ファイルと関連するテキストファイルを実時間に表示できる音声プレイヤーを提供することを課題とする。
【課題を解決するための手段】
【０００７】
この発明による音声プレイヤーは、第一音声ファイルと、第一音声ファイルに対応するテキスト内容を有する第一テキストファイルとを保存するメモリーと、第一音声ファイルを選択するためのユーザーインターフェイスと、第一音声ファイルと第一テキストファイルをロードするためのコントローラーと、第一音声ファイルを音声信号に変換するデコーダーと、音声信号を出力する音声出力ポートと、画像出力ポートと電気的にカップリングされる表示装置で第一テキストファイルのテキスト内容を表示するための画像出力ポートと、第一音声ファイルの再生時間と第一テキストファイルの容量との予定関係によって、表示装置におけるテキスト内容の表示速度を計算するための文字計算回路とを含む。
【０００８】
この発明は更に音声プレイヤーでテキストを表示する方法を提供する。該方法は、第一音声ファイルを選択し、第一音声ファイルに対応するテキストファイルをロードし、第一音声ファイルの再生時間と第一テキストファイルの容量との予定関係によって、音声プレイヤーと電気的にカップリングされる表示装置で表示されるテキスト内容の表示速度を計算し、第一音声ファイルを復号化して音声信号を生じさせ、音声信号を出力すると同時に、一定の速度で表示装置で第一テキストファイルのテキスト内容を表示するなどのステップを含む。
【発明の効果】
【０００９】
この発明による音声プレイヤーは再生中の音声ファイルに対応するテキスト内容を表示できる。なお、この発明はリンクファイルで音声ファイルに対応するテキストファイルと画像ファイルをリンクする。のみならず、この発明による音声プレイヤーは文字計算プログラムでテキストの表示速度を自動的に計算する。
【発明を実施するための最良の形態】
【００１０】
かかる装置及び方法の特徴を詳述するために、具体的な実施例を挙げ、図示を参照して以下に説明する。
【００１１】
図３と図４を参照する。図３はこの発明による音声プレイヤー１００とホスト装置５０との接続を表すブロック図である。音声プレイヤー１００はパーソナルデジタルアシスタント（ＰＤＡ）、デジタルスティルカメラ（ＤＳＣ）、携帯電話またはその他の音声再生装置に内蔵できる。図４はこの発明による音声ファイルとテキストファイルを処理する方法を表す説明図である。ホスト装置５０はインターフェイスポート５８を含む。音声プレイヤー１００内蔵のインターフェイスポート１０４を通して、インターフェイスポート５８はファイルをホスト装置５０から音声プレイヤー１００に送信できる。ホスト装置５０はコンピューターであり、インターフェイスポート５８とインターフェイスポート１０４はパラレルバス、シリアルバス、ＵＳＢ、ＩＥＥＥ１３９４シリアルバスまたはその他のインターフェイスである。
【００１２】
ホスト装置５０は更に、ホスト装置５０の動作を制御するコントローラー５４と、複数の再生用音声ファイル１５２を保存するメモリー５２と、ソフトウェアである音声処理ツール５６とを含む。各音声ファイル１５２にはそれぞれ対応するテキストファイル１５４と画像ファイル１５６がある。テキストファイル１５４は音声ファイル１５２に対応するテキスト内容を含み、画像ファイル１５６は音声ファイル１５２に対応する画像内容を含む。音声処理ツール５６は音声ファイル１５２と、テキストファイル１５４と、画像ファイル１５６とを結合する。音声ファイル１５２はＭＰ３、ＷＭＡ、ＷＡＶまたは音声プレイヤー１００と互換できるその他の形式のファイルであり、テキストファイル１５４は音声プレイヤー１００と互換できる形式のファイルであり、画像ファイル１５６はＪＰＥＧ、ＧＩＦまたは音声プレイヤー１００と互換できるその他の形式のファイルである。
【００１３】
音声プレイヤー１００は、音声プレイヤー１００の動作を制御するコントローラー１０２と、音声ファイル１５２を音声信号に変換するデコーダー１０６と、デコーダー１０６から音声信号を受信してイヤーホーンジャックなどで音声信号を出力する音声システム１１０と、再生中の音声ファイル１５２に対応する画像ファイル１５６とテキストファイル１５４とを表示する画像システム１１２とを含む。デコーダー１０６はＭＰ３デコーダーまたは１種類以上の形式を復号化できるデコーダーである。画像信号を表示するため、画像システム１１２を液晶表示器またはテレビジョンなどの表示装置と接続することも可能である。
【００１４】
音声プレイヤー１００は更に、ホスト装置５０からインターフェイスポート１０４を通して送信されてきた音声ファイル１５２と、テキストファイル１５４と、画像ファイル１５６とを保存するメモリー１１４と、メモリーカードに保存されるファイルを読み取るメモリーカードインターフェイス１１６とを含む。メモリーカードはＣＦ、ＳＤ、ＳＭなどの形式であり、それを通してユーザーは音声プレイヤー１００をホスト装置５０に装着せずにファイルを再生することができる。この発明では、メモリーカードは相応する音声ファイル１５２と、テキストファイル１５４と、画像ファイル１５６とを保存できる。
【００１５】
図４によれば、音声処理ツール５６は音声ファイル１５２と、テキストファイル１５４と、画像ファイル１５６との内容を定め、音声ファイル、テキストファイル、画像ファイルに対して組ごとにリンクファイル１６０を作成できる。各リンクファイル１６０は相応する音声ファイル１５２と、テキストファイル１５４と、画像ファイル１５６を指定する。テキストファイル１５４は音声ファイルに対応するテキスト内容を含み、画像ファイル１５５は音声ファイルに対応する画像内容を含む。実際、リンクファイル１６０でテキストファイル１５４を読み取り、リンクファイル１６０に保存されるリンク識別子で第一テキストファイルと第一音声ファイルの範囲を確認することができる。ホスト装置５０から音声ファイル１５２を音声プレイヤー１００に送信する場合、音声処理ツール５６で所要の音声ファイル１５２を選択すれば、音声処理ツール５６は音声ファイル１５２と、テキストファイル１５４と、画像ファイル１５６とをリンクする複数のリンクファイル１６０を作成する。そのため、音声処理ツール５６は各テキストファイル１５４の内容を構成する文字を正確に定めて文字セットファイル１５８を作成する。文字セットファイル１５８は音声プレイヤー１００に保存されるテキストファイルの最小文字数の集合である。例えば、音声プレイヤーには中国語とロシア語の音声ファイルが保存される場合、全体中国語の文字セットとロシア語の文字セットがメモリー１１４の空間を必要以上に占めるのを防ぐため、文字セットファイル１５８にはテキストファイル１５４に必要な中国語とロシア語の文字しかない。もっとも、中国語とロシア語は例示でしかなく、この発明による文字セットファイル１５８を制限するものではない。
【００１６】
音声プレイヤー１００が音声ファイル１５２を再生する際、リンクファイル１６０を通して対応するテキストファイル１５４をダウンロードできる。なお、この発明の更なる特長はテキストファイル１５４の内容を自動的に表示できることにある。したがって、ボタンで内容表示を制御する必要がない。音声プレイヤー１００の文字計算プログラム１０８はテキストファイル１５４の内容を自動的に計算し、音声信号が復号化され出力されると同時に、一定の速度で画像システム１１２と接続する表示装置でテキストファイルを表示する。表示速度の公式はＦ＝Ｔ／Ｎである。そのうちＦはテキストの表示速度を表し、Ｔは音声ファイル１５２の再生時間を表し、Ｎはテキストファイル１５４におけるテキスト内容の数量を表す。テキスト内容の数量を定めるにはさまざまな単位がある。例えば、文字ＮＣ、ワードＮＷ、センテンスＮＳ、パラグラフＮＰなどである。テキスト内容の数量Ｎの単位について、音声プレイヤー１００のユーザーまたはメーカーの要求に応じて決められる。
【００１７】
表示テキスト内容と音声ファイル１５２が一致しない場合、ユーザーインターフェイスの入力キー１１３で表示テキスト内容を手動にスクロールして調整できる。なお、入力キー１１３も表示速度を調整する機能を有する。入力キー１１３は表示内容を上下にスクロールするページアップキーとページダウンキーを含む。ページアップキーとページダウンキーはテキストの表示速度も調整できる。
【００１８】
図５を参照する。図５はこの発明による音声プレイヤーで音声ファイル１５２を再生しながらテキストファイル１５４を表示する方法のフローチャートである。フローチャートについての説明は以下の通りである。
【００１９】
ステップ２００：開始。
【００２０】
ステップ２０２：再生予定の音声ファイル１５２のリンクファイル１６０をダウンロードする。
【００２１】
ステップ２０４：リンクファイル１６０が指定する画像ファイル１５６をダウンロードする。画像ファイル１５６はバックグランドイメージとして画像システム１１２と接続される表示装置で表示される。
【００２２】
ステップ２０６：リンクファイル１６０に対応する音声ファイル１５２をダウンロードして再生する。
【００２３】
ステップ２０８：リンクファイル１６０が指定するテキストファイル１５４をダウンロードする。
【００２４】
ステップ２１０：公式Ｆ＝Ｔ／Ｎでテキスト内容の表示速度を計算する。
【００２５】
ステップ２１２：表示装置で第一ページのテキスト内容を表示する。
【００２６】
ステップ２１４：時間Ｔを待つ。時間Ｔはテキスト内容の表示速度に反比例する。
【００２７】
ステップ２１６：表示装置で次のページのテキスト内容を表示する。
【００２８】
ステップ２１８：入力キー１１３を押す必要があるかどうかを判断する。ページアップキーを押す必要があれば、ステップ２２０を実行する。ページダウンキーを押す必要があれば、ステップ２１６を実行する。いずれも押す必要がなければ、ステップ２２２を実行する。
【００２９】
ステップ２２０：ページアップキーを押す。表示装置は前のページのテキスト内容を表示する。続いてステップ２２２を実行する。
【００３０】
ステップ２２２：音声ファイル１５２の再生が完了したかどうかを判断する。再生完了の場合、ステップ２２４を実行する。再生が完了していない場合、ステップ２１４を実行する。
【００３１】
ステップ２２４：終了。
【００３２】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００３３】
この発明による音声プレイヤーは再生中の音声ファイルに対応するテキスト内容を表示できる。なお、この発明はリンクファイルで音声ファイルに対応するテキストファイルと画像ファイルをリンクする。のみならず、この発明による音声プレイヤーは文字計算プログラムでテキストの表示速度を自動的に計算する。
【図面の簡単な説明】
【００３４】
【図１】従来の携帯型音声プレイヤーを表す説明図である。
【図２】図１における携帯型音声プレイヤーのブロック図である。
【図３】この発明による音声プレイヤーとホスト装置との接続を表すブロック図である。
【図４】この発明による音声ファイルとテキストファイルを処理する方法を表す説明図である。
【図５】この発明による音声プレイヤーで音声ファイルを再生しながらテキストファイルを表示する方法のフローチャートである。
【符号の説明】
【００３５】
１０、１００          音声プレイヤー
１２                  表示器
１４                  コネクター
１６、５２、１１４    メモリー
１８、１０６          デコーダー
２０、５４、１０２    コントローラー
２４                  音声出力ポート
５０                  ホスト装置
５６                  音声処理ツール
５８、１０４          インターフェイスポート
１０８                文字計算プログラム
１１０                音声システム
１１２                画像システム
１１３                入力キー
１１６                メモリーカードインターフェイス
１５２                音声ファイル
１５４                テキストファイル
１５６                画像ファイル
１５８                文字セットファイル
１６０                リンクファイル
【図１】
2005062880.tif 000003
【図２】
2005062880.tif 000004
【図３】
2005062880.tif 000005
【図４】
2005062880.tif 000006
【図５】
2005062880.tif 000007
【外国語明細書】
2005062880000001.pdf
2005062880000002.pdf
2005062880000003.pdf
2005062880000004.pdf